(57)【要約】基材１０は、内部空間２側に突出し、略平坦な頂面１２を有した突条部１１と、突条部１１に平行な溝部１３とが交互に配列された波形形状とされており、断熱パネル２０をその長手方向が突条部１１の方向に直交するように配して突条部１１の頂面１２に貼り付ける固定工程を実施する手順とされており、断熱パネル２０の長手方向の側端部２４が溝部１３側に突出する場合には、発泡樹脂２２のうちの長手方向の側端部側に位置する部分の一部を切断除去して、その切断端部２５が突条部１１の頂面１２に配せられるように断熱パネルの長さ調整をする長さ調整工程を、固定工程の実施前に実施する。
2019003836.tif 000002
【特許請求の範囲】
【請求項１】
内部空間を形成する外郭部として配設された基材の該内部空間側の面に、中央に真空断熱材を有し、かつ長手方向の両側に発泡樹脂を有した断熱パネルを取り付け固定する、断熱パネルの固定方法であって、
前記基材は、前記内部空間側に突出し、略平坦な頂面を有した突条部と、該突条部に平行な溝部とが交互に配列された波形形状とされており、
前記断熱パネルをその長手方向が前記突条部の延びる方向に直交するように配して前記突条部の前記頂面に貼り付ける固定工程を実施する手順とされており、
前記断熱パネルの長手方向の側端部が前記溝部側に突出する場合には、前記固定工程の実施前に、前記発泡樹脂のうちの前記長手方向の側端部側に位置する部分の一部を切断除去して、その切断端部となる側端部が前記突条部の前記頂面に配せられるように前記断熱パネルの長さ調整をする長さ調整工程を実施することを特徴とする、断熱パネルの固定方法。
【請求項２】
請求項１において、
前記頂面における前記断熱パネルの貼り付け対象部位において、上下方向に間隔を空けて両面テープを取り付け、前記両面テープの非貼り付け部位に接着剤を塗布した後に、前記固定工程を実施することを特徴とする、断熱パネルの固定方法。
【請求項３】
内部空間を形成する外郭部として配設された基材の該内部空間側の面に、中央に真空断熱材を有し、かつ長手方向の両側に発泡樹脂を有した断熱パネルが取り付け固定されている、断熱パネルの固定構造であって、
前記基材は、前記内部空間側に突出し、略平坦な頂面を有した突条部と、該突条部に平行な溝部とが交互に配列された波形形状とされており、
前記断熱パネルは、長手方向が前記突条部の延びる方向に直交するように配されて前記突条部の前記頂面に貼り付けされており、
前記断熱パネルの連設部分については、前記断熱パネルの長手方向の側端部が、前記頂面に配されるように貼り付けされていることを特徴とする、断熱パネルの固定構造。
【発明の詳細な説明】
【技術分野】
【０００１】
本発明は、内部空間を形成する外郭部として配設された基材の内部空間側の面に断熱パネルを貼り付ける、断熱パネルの固定方法および固定構造に関する。
【背景技術】
【０００２】
壁等の外郭部に設けた板材等の基材の室内側の面に断熱パネルを内貼りにて固定する場合、幅寸法が柱／間柱間寸法に合致した長方形の断熱パネルを縦貼りすることが通例となっている（たとえば、特許文献１参照）。
【先行技術文献】
【特許文献】
【０００３】
【特許文献１】特開２００９−２８７１６８号公報
【発明の概要】
【発明が解決しようとする課題】
【０００４】
ところで、上記のように断熱パネルを基材の内部空間側の面に内貼りする場合、その対象となる基材として、突条部と溝部とが交互に配列された波形形状のもの（波形材）も想定される。コンテナなどにはそのような基材を用いることが多い。【０００５】
このような波形材を壁等の外郭部の基材として配する場合、強度を考慮して、突条部、溝部の延びる方向を縦方向に合わせて配設することが一般的である。【０００６】
しかしながら、波形材には種々の凹凸周期のものがあるため、定形幅の断熱パネルを縦貼りしようとしても、突条部間に架け渡し配設できないおそれがある。つまり、断熱パネルの幅方向の端部を突条部に配置できない場合がある。このような場合には、すくなくとも一方の端部が突条部間（つまり溝部の前面側の空間）に突出するため、突条部の頂面上で隣接し合うように断熱パネルどうしを連設することはできない。【０００７】
本発明は、このような事情を考慮して提案されたもので、その目的は、突条部と溝部とが交互に配列された波形形状の基材に断熱パネルを確実にかつ効率よく貼り付けできる、断熱パネルの固定方法および断熱パネルの固定構造を提供することにある。
【課題を解決するための手段】
【０００８】
上記目的を達成するために、本発明の断熱パネルの固定方法は、内部空間を形成する外郭部として配設された基材の該内部空間側の面に、中央に真空断熱材を有し、かつ長手方向の両側に発泡樹脂を有した断熱パネルを取り付け固定する、断熱パネルの固定方法であって、基材は、内部空間側に突出し、略平坦な頂面を有した突条部と、突条部に平行な溝部とが交互に配列された波形形状とされており、断熱パネルをその長手方向が突条部の延びる方向に直交するように配して突条部の頂面に貼り付ける固定工程を実施する手順とされており、断熱パネルの長手方向の側端部が溝部側に突出する場合には、固定工程の実施前に、発泡樹脂のうちの長手方向の側端部側に位置する部分の一部を切断除去して、その切断端部となる側端部が突条部の頂面に配せられるように断熱パネルの長さ調整をする長さ調整工程を、実施することを特徴とする。【０００９】
また、本発明の断熱パネルの固定構造は、内部空間を形成する外郭部として配設された基材の該内部空間側の面の中央に真空断熱材を有し、かつ内部空間側の面の長手方向の両側に発泡樹脂を有した断熱パネルが取り付け固定されている、断熱パネルの固定構造であって、基材は、内部空間側に突出し、略平坦な頂面を有した突条部と、突条部に平行な溝部とが交互に配列された波形形状とされており、断熱パネルは、長手方向が突条部の延びる方向に直交するように配されて突条部の頂面に貼り付けされており、断熱パネルの連設部分については、断熱パネルの長手方向の側端部が、頂面に配されるように貼り付けされていることを特徴とする。
【発明の効果】
【００１０】
本発明の断熱パネルの固定方法によれば、上述した手順となっているため、突条部と溝部とが交互に配列された波形形状の基材に断熱パネルを確実にかつ効率よく貼り付けることができる。また、上述した手順となっているため、種々の凹凸周期の基材に対応させることができる。【００１１】
また、本発明の断熱パネルの固定構造によれば、断熱パネルが上述した構成であるため発泡樹脂の一部を切断除去することができ、その結果、突条部と溝部とが交互に配列された波形形状の基材に断熱パネルがしっかりと固定され得る。
【図面の簡単な説明】
【００１２】
【図１】本発明の一実施形態に係る断熱パネルの固定構造が適用されたコンテナの横断面図である。
【図２】（ａ）は同固定構造の部分横断面図、（ｂ）は（ａ）のＸ部の拡大図である。
【図３】（ａ）は同固定構造の部分正面図、（ｂ）は（ａ）のＹ部の拡大図である。
【図４】（ａ）〜（ｃ）は、同固定構造に用いられる、寸法の異なる断熱パネルの３例を示した正面図である。
【発明を実施するための形態】
【００１３】
以下に、本発明の実施の形態に係る断熱パネルの固定構造について、添付図面にもとづいて説明する。本発明の断熱パネルの固定構造は、たとえば内部空間２に物を収納するコンテナ１、特にそのコンテナ１を居住用に使用するコンテナ（ハウス）１に適用され得る。
【００１４】
図１は、本発明の一実施形態に係る断熱パネルの固定構造が適用されたコンテナ１の横断面図である。図２（ａ）は同固定構造の部分横断面図、図２（ｂ）は図２（ａ）のＸ部の拡大図である。図３（ａ）は同固定構造の部分正面図、図３（ｂ）は図３（ａ）のＹ部の拡大図である。図４（ａ）〜（ｃ）は、寸法の異なる断熱パネル２０の３例を示した正面図である。
【００１５】
まず、これらの図をもとに、断熱パネルの固定構造の概略構成について説明する。
【００１６】
この断熱パネルの固定構造は、内部空間２を形成する外郭部として配設された基材１０の内部空間２側の面に、中央に真空断熱材２１を有し、かつ長手方向の両側に発泡樹脂２２を有した断熱パネル２０が取り付け固定されている固定構造である。
【００１７】
基材１０は、内部空間２側に突出し、略平坦な頂面１２を有した突条部１１と、突条部１１に平行な溝部１３とが交互に配列された波形形状とされている。断熱パネル２０は、長手方向が突条部１１の延びる方向に直交するように配されて突条部１１の頂面１２に貼り付けされている。
【００１８】
隣り合う断熱パネル２０、２０の連設部分３０については、断熱パネル２０の長手方向の側端部２４が頂面１２に配されるように貼り付けされている。
【００１９】
ついで、断熱パネルの固定構造の詳細構成について説明する。
【００２０】
図１のコンテナ１の外郭部のうち対向した２面の壁部３、３には、基材１０として突条部１１と溝部１３とが交互に並んだ金属製の波形材が、突条部１１が延びる方向を縦（上下）方向とするように配設されている。そして、その基材１０の突条部１１の頂面１２に接触し、複数の突条部１１、１１間に跨るように断熱パネル２０が固定されている（図２および図３参照）。また、他の壁部４、４には出入り口５、５が形成され、他の壁部４のその他の部位には平板状の基材６が配設され、その内面に断熱パネル２０が固定されている。なお、図３（ａ）では、波形形状の基材１０の各部を正面視でわかりやすくするために、突条部１１の頂面１２にはクロスハッチングを付している。
【００２１】
波形材（基材１０）は、たとえば突条部１１、溝部１３の凹凸周期が２周期分連なった単位波形材を、コンテナ１の組み立ての際に突条部１１等で溶接接合して基材１０として形成される。凹凸２周期分の単位波形材であれば、取り扱いをしやすくできるような大きさに形成することができる。本実施形態における波形材は、図２（ａ）（ｂ）に示すように突条部１１の幅方向の略中央に直線状の接合部１４が形成されている。
【００２２】
断熱パネル２０としては、図４（ａ）〜（ｃ）に例示した種々の寸法の長方形のものが用いられる。いずれの断熱パネル２０、２０、２０も短手寸法は、たとえば９００ｍｍなどで略同一であり、長手寸法を異ならせている。これら種々の寸法の断熱パネル２０、２０、２０は、１つのコンテナ１に対し１種のものが用いられるようにしてもよいし、複数のものが組み合わされて用いられるようにしてもよい。
【００２３】
いずれの断熱パネル２０、２０、２０も、内部のおおむね中央部分に真空断熱材２１を有している。上述したように、発泡樹脂２２は、中央の真空断熱材２１の長手方向の両側に配されているだけではなく、短手方向の両側や、上下にも配されており、発泡樹脂２２自体も断熱材として作用し、この発泡樹脂２２により真空断熱材２１が保護されている。
【００２４】
真空断熱材２１としては、芯材をガスバリア性の包装材で外装して真空吸引することにより形成されたものなどを使用できる。特に本実施形態の例では、平面視形状を略長方形とした薄型のパネル体を用いている。発泡樹脂２２としては、硬質発泡ウレタンや発泡ポリエチレン、発泡ポリスチレンなどの各種フォーム系（発泡系）のものが用いられる。
【００２５】
図４（ａ）（ｂ）（ｃ）に示したいずれの断熱パネル２０、２０、２０も、長手方向の両方の側端部２４、２４に、短手辺に平行に切断できるようにした切断代部２３、２３を有している。この切断代部２３、２３は、真空断熱材２１の周囲の発泡樹脂２２のうち長手方向の側端部２４、２４に配された部位である。そのため、切断代部２３、２３において、図中、両向き矢印で示した範囲内で切断しても真空断熱材２１は傷つかず、元の寸法より長手寸法が小さくなった断熱パネル２０として使用することができる。このように切断代部２３、２３の外側の一部を切断除去することで、真空断熱材２１の機能を生かしたまま、断熱パネル２０を種々の長さに変更して使用することができる。
【００２６】
なお、真空断熱材２１を誤って傷つけないように、切断代部２３、２３の領域、特に長手方向の側端部２４、２４側の発泡樹脂２２が配された範囲がわかるように、断熱パネル２０の表裏面等に目印線が付されていることが望ましい。また、切断代部２３、２３の領域は左右で異なっていてもよいし、一方は切断不可としたものであってもよい。
【００２７】
この断熱パネル２０は、図２（ａ）および図３（ａ）に示すように、長手方向を突条部１１の延びる方向に直交するように横向きにした状態で、基材１０の内部空間２側の面に取り付けられている。この断熱パネル２０の基材１０への固着は突条部１１の頂面１２にてなされている。
【００２８】
また、断熱パネル２０を横方向に連設する場合、図２（ａ）および図３（ａ）に示すように、両断熱パネル２０、２０の端部どうしが突条部１１の頂面１２において突合せ状態となるように取り付けされる。つまり、断熱パネル２０の連設部分３０では、２つの断熱パネル２０、２０の長手方向の側端どうしが隣接するように、突条部１１の頂面１２を左右のそれぞれに固着されている。
【００２９】
この連設部分３０では、一方の断熱パネル２０（図２（ａ）の例では左側の断熱パネル２０）は、側端部２４が頂面１２上に配せられるように適切な位置で切断され長さ調整されてから取り付けされるようになっている。ようするに、断熱パネル２０は、図２（ａ）に示すように切断端部２５が頂面１２に配されるように固着されている。
【００３０】
また、図２（ａ）の連設部分３０における右側の断熱パネル２０については、図３（ａ）に示すように側端部２４の切断調整がなされていない。ようするに、図２（ａ）に示した例では、連設部分３０における隣り合う両断熱パネル２０、２０の側端部２４、２４は、一方が切断調整され、他方は切断調整されていない。もちろん、種々の凹凸周期の波形材（基材１０）におうじて、隣接する側端部２４、２４の両方が切断調整されていてもよいし、隣接する側端部２４、２４の両方がともに切断調整されていなくてもよい。さらに、他の種々の寸法の断熱パネル２０を用いてもよい。
【００３１】
断熱パネル２０の突条部１１の頂面１２に対する固着は、両面テープ３１と接着剤３２が用いられる。両面テープ３１は初期接着を担い、接着剤３２は長期接着を担う。この具体的な固着手順については図３（ｂ）の説明において後述する。
【００３２】
また、図２（ａ）のＸ部のような基材１０の接合部１４においては、図２（ｂ）のように突条部１１の頂面１２に溶接痕１５が膨出している場合がある。このような場合には、図２（ｂ）に示すように、頂面１２における溶接痕１５の両側のそれぞれの面に、溶接痕１５の膨出高さ分、両面テープ３１を重ね合わせることで、溶接痕１５を回避するように断熱パネル２０を突条部１１に貼り付けることができる。
【００３３】
この突条部１１の頂面１２に対する断熱パネル２０の固着は、上述したように、両面テープ３１と接着剤３２を用いてなされている。具体的には、図３（ｂ）に示すように、頂面１２における断熱パネル２０の貼り付け対象部位において、両面テープ３１は上下方向に間隔を開けて取り付けられており、接着剤３２は両面テープ３１の非貼り付け部位の適所に塗布されている。なお、両面テープ３１は接着剤３２が硬化するまでの初期接着を目的として利用される。
【００３４】
断熱パネル２０を、以上のように基材１０に貼り付けるための断熱パネルの固定方法は、つぎのような手順（工程）を実施することよりなる。
【００３５】
作業者はまず、断熱パネル２０の長手方向の両方の側端部２４が突条部１１に配せられるかどうかを、寸法を測って判断する。ついで、断熱パネル２０の長手方向の側端部２４が溝部１３側に突出する場合には、発泡樹脂２２のうちの長手方向の側端部２４側に位置する部分（切断代部２３）の一部を切断除去する。そして、その切断端部２５となる側端部２４が突条部１１の頂面１２に配せられるように断熱パネル２０の長さ調整をする。もちろん、側端部２４が溝部１３側に突出しないような寸法の場合には切断は不要とされる。
【００３６】
この長さ調整工程を実施した後に、断熱パネル２０をその長手方向が突条部１１の方向に直交するように配して突条部１１の頂面１２に貼り付ける固定工程が実施される。切断にて長さ調整がなされた場合には、その切断端部２５となる側端部２４が頂面１２に貼り付けされ、切断がなされない場合には、（切断がなされていない元の状態の）側端部２４が頂面１２に貼り付けされる。
【００３７】
また、この固定工程の実施前において、貼り付け準備工程を実施すればよい。すなわち、貼り付け準備工程では、両面テープ３１と接着剤３２が、頂面１２における断熱パネル２０の幅寸法に応じた部位に、図３（ｂ）のように、それらが分離配置されるようにあらかじめ配設されればよい。なお、図３（ｂ）は基材１０の突条部１１の接合部１４における断熱パネル２０の貼り付け例であるが、接合部１４を有さない突条部１１であっても同様である。
【００３８】
このように基材１０側にあらかじめ両面テープ３１と接着剤３２とを準備配設しておけば、断熱パネル２０の貼り付けの際に、両面テープ３１と接着剤３２とが接触して両面テープ３１が初期接着できなくなることを回避することができる。
【００３９】
また、貼り付け準備工程は、すくなくとも固定工程の実施前に実施されればよい。つまり、貼り付け準備工程は、長さ調整工程の実施前、長さ調整工程の実施後のいずれにおいて実施されるようにしてもよい。さらに、両面テープ３１の貼り付けだけを長さ調整工程の実施前に実施し、接着剤３２の塗布を長さ調整工程の実施後に実施するなど、分割して実施するようにしてもよい。
【００４０】
また、本断熱パネルの固定方法は断熱パネル２０を横向きにして固定する手順であり、かつ、断熱パネル２０は切断されたとしても短手寸法は一定であるため、両面テープ３１と接着剤３２とを準備配設する突条部１１における位置を簡易に判断することができる。その結果、断熱パネル２０の突条部１１における貼り付け作業を、確実にかつ効率よく実施することができる。
【００４１】
また、図３（ｂ）のように、膨出した溶接痕１５がある突条部１１の頂面１２に断熱パネル２０を貼り付ける場合は、両面テープ３１を溶接痕１５の膨出高さを超えるように重ね貼りをし、かつ、接着剤３２を溶接痕１５の膨出高さを超えるように塗布しておけばよい。
【００４２】
以上のようにして、断熱パネル２０を壁部３のたとえば左から右へ取り付けていき、さらにたとえば下から上へ取り付けて、壁部３の全面に断熱パネル２０を配設することができる。
【００４３】
以上に示した断熱パネルの固定方法によれば、切断代部２３（長手方向の側端部２４側に配した発泡樹脂２２）を切断して断熱パネル２０の長さを調整できるため、突条部１１において断熱パネル２０を確実に連設することができる。特に、縦貼りする方法に比べて貼り付け作業はきわめて効率的となり得る。また、以上に示した断熱パネルの固定構造によれば、突条部１１と溝部１３とが交互に配列された波形形状の基材１０に断熱パネル２０がしっかりと固定され得る。
【００４４】
また、断熱パネル２０は側端部２４、２４に切断除去可能な切断代部２３を含んでいるため、突条部１１と溝部１３の種々の凹凸周期の基材１０に対応させて、この固定方法を実施することができる。つまり、図４（ａ）〜（ｃ）に示すように、切断代部２３は長手方向にある程度の長さがあるため、基材１０の凹凸周期に合わせて切断長さを種々異ならせればよい。
【００４５】
以上の実施形態では断熱パネル２０を壁部３に設けるものを例示したが、壁部３以外の、たとえば床部、天井部などの外郭部であっても、波形材に対する固定方法、固定構造は上述したものと同様のものが適用され得る。
【符号の説明】
【００４６】
１            コンテナ（ハウス）
２            内部空間
３            壁部（外郭部）
１０          基材（波形材）
１１          突条部
１２          頂面
１３          溝部
１４          接合部
１５          溶接痕
２０          断熱パネル
２１          真空断熱材
２２          発泡樹脂
２３          切断代部
２４          側端部
２５          切断端部
３０          連設部分
３１          両面テープ
３２          接着剤
【図１】
2019003836.tif 000003
【図２】
2019003836.tif 000004
【図３】
2019003836.tif 000005
【図４】
2019003836.tif 000006
【国際調査報告】
2019003836.tif 000007
2019003836.tif 000008